(57)【要約】【課題】ジャックボックスを別体として表示装置本体の奥行きの長さを短くすることで、梱包サイズを小さくして輸送効率を向上させた表示装置を提供すること、さらに、ジャックボックスを付属のスタンドに固定させることで、スタンドの有効活用及びインテリアとしての利用を可能とすることである。【解決手段】液晶テレビ（表示装置）１０は、表示装置本体と、該表示装置本体を直立可能に支持するスタンド１４とを備え、複数のジャックを収容したジャックボックス１７が表示装置本体から取り外されたスタンド１４に着脱可能に取り付けられる構成とする。【選択図】図１０
2009071583.tif 000002
【特許請求の範囲】
【請求項１】
表示部を有する表示装置本体と、
該表示装置本体を直立可能に支持するスタンドとを備えた表示装置において、
複数のジャックを収容したジャックボックスが、前記表示装置本体から取り外されたスタンドに着脱可能に取り付けられることを特徴とする表示装置。
【請求項２】
前記スタンドの前記表示装置本体との取り付けに使用する支持手段を前記ジャックボックスの取り付けに兼用することを特徴とする請求項１記載の表示装置。
【請求項３】
ビス止めにより、前記ジャックボックスが前記スタンドに取り付けられることを特徴とする請求項１又は２記載の表示装置。
【請求項４】
前記ジャックボックスは略直方体であり、前記ジャックボックスの高さが２番目に高くなる向きで前記スタンドに取り付けられることを特徴とする請求項３記載の表示装置。
【請求項５】
前記スタンドの支持手段に設けられた穴が、前記ジャックボックスに設けられた対向する突起に挟入されることにより、前記ジャックボックスが前記スタンドに取り付けられることを特徴とする請求項１又は２記載の表示装置。
【請求項６】
前記ジャックボックスは略直方体であり、前記ジャックボックスの高さが最も低くなる向きで前記スタンドに取り付けられることを特徴とする請求項５記載の表示装置。
【請求項７】
前記ジャックボックス側に設けられたコネクタと、前記表示装置本体側に設けられたコネクタとがフラットケーブルによって接続されることを特徴とする請求項１〜６の何れかに記載の表示装置。
【発明の詳細な説明】
【技術分野】
【０００１】
本発明は、表示装置に関し、複数のジャックを有する表示装置に関する。
【背景技術】
【０００２】
テレビやパソコンのディスプレイなどの表示装置には、ＤＶＤ装置等の外部機器に接続するための各種ジャックが設けられている。通常、ジャックは表示装置の背面に設けられており、その配置は様々である。そのため、表示装置の設置場所によっては、設置後にジャックへの配線作業を行いにくい場合がある。
【０００３】
そこで、ジャックへの配線作業を行いやすい様々な構造が提案されている。例えば、特許文献１には、パネルと、シャーシ部材に配置されかつパネルに信号を印加して表示を行う表示駆動回路ブロックと、これらのパネルおよび表示駆動回路ブロックを収容する筐体を構成する前面枠およびバックカバーとを有し、筐体の外部に、表示駆動回路ブロックに外部機器からの表示信号を入力するための外部接続端子を金属ケースに配置して構成した外部接続端子パックを回動可能に保持して取り付けたプラズマディスプレイ装置が開示されている。
【０００４】
また、特許文献２には、薄型テレビ受像機の端子群とプラグ／ジャック方式で一斉に接続される端子群をアダプタであるテレビ受像機受台に設け、薄型テレビ受像機を載置台に載せると同時に電気的な接続もできる構造が開示されている。さらに、アダプタと分離した台座に外部と接続する端子群を設け、薄型のテレビであっても安定した設置と外部に配線ケーブル等をむき出しにしない構造も開示されている。
【特許文献１】特開２００３−７６２９６号公報
【特許文献２】特開平８−１９５９２１号公報
【発明の開示】
【発明が解決しようとする課題】
【０００５】
ところで、特許文献１のように、複数のジャック（特許文献１では外部接続端子）を収容したジャックボックス（特許文献１では金属ケース）が表示装置の背面に取り付けられていると、表示装置の奥行きの長さはジャックボックスの奥行きの長さに影響される。したがって、梱包サイズにも影響し、輸送効率が悪いという問題がある。
【０００６】
一方、特許文献２では上記のように表示装置の奥行きが長くなるという問題はないが、表示装置の底面にジャックを設けているため底部分にジャックの設置スペースが必要であり、装置の大型化に繋がる。したがって、梱包サイズが大きく輸送効率が悪いという上記と同様の問題がある。
【０００７】
本発明は、ジャックボックスを別体として表示装置本体の奥行きの長さを短くすることで、梱包サイズを小さくして輸送効率を向上させた表示装置を提供することを目的とする。さらに、ジャックボックスを付属のスタンドに固定させることで、スタンドの有効活用及びインテリアとしての利用を可能とすることを目的とする。
【課題を解決するための手段】
【０００８】
上記目的を達成するために本発明は、表示部を有する表示装置本体と、該表示装置本体を直立可能に支持するスタンドとを備えた表示装置において、複数のジャックを収容したジャックボックスが、前記表示装置本体から取り外されたスタンドに着脱可能に取り付けられることを特徴とする。
【０００９】
この構成によると、ジャックボックスを取り外して梱包することができ、梱包サイズを小さくすることができる。また、表示装置の壁掛け時に不要なスタンドを利用することができる。
【００１０】
上記の表示装置において、前記スタンドの前記表示装置本体との取り付けに使用する支持手段を前記ジャックボックスの取り付けに兼用することが望ましい。部品点数を増やす必要がないからである。
【００１１】
また上記の表示装置において、例えば、ビス止めにより、前記ジャックボックスを前記スタンドに取り付けることができる。
【００１２】
このビス止めによる固定は、前記ジャックボックスが略直方体であり、前記ジャックボックスの高さが２番目に高くなる向きで前記スタンドに取り付けられる場合に、ジャックボックスのふらつきを防止できるので有効である。
【００１３】
また上記の表示装置において、前記スタンドの支持手段に設けられた穴が、前記ジャックボックスに設けられた対向する突起に挟入されることにより、前記ジャックボックスが前記スタンドに取り付けられるようにしてもよい。
【００１４】
このような固定は、前記ジャックボックスが略直方体であり、前記ジャックボックスの高さが最も低くなる向きで前記スタンドに取り付けられる場合に有効である。ジャックボックスを取り付けた際の高さが低いので、ビス止めのような強固な固定手段を用いなくても突起で穴を挟入するだけで十分にジャックボックスを安定に支持することができるからである。また、この場合、ジャックボックスとスタンドとは抜き差しするだけで容易に着脱することができる。
【００１５】
また上記の表示装置において、前記ジャックボックス側に設けられたコネクタと、前記表示装置本体側に設けられたコネクタとがフラットケーブルによって接続されることが望ましい。コネクタを採用することにより容易に着脱できるからである。
【発明の効果】
【００１６】
本発明の表示装置によれば、ジャックボックスを別体として表示装置本体の奥行きの長さを短くすることで、梱包サイズが小さくなり輸送効率が向上する。また、ジャックボックスを表示装置本体から取り外して使用することにより、表示装置本体のみを壁に掛けられるので、奥行きの短い状態で壁掛けを実現することができる。また、ジャックボックスをスタンドに取り付けて使用することにより、液晶テレビ本体の壁掛け時にスタンドを有効活用することができるとともに、ジャックボックスとスタンドとの一体感によって美観が生じるのでインテリアにもなる。したがって、スタンドの収納場所に困らず、ジャックボックスを隠す必要もない。
【発明を実施するための最良の形態】
【００１７】
以下、本発明の表示装置として液晶テレビを例に説明する。図１は、液晶テレビの前面斜視図であり、図２は、液晶テレビの背面斜視図である。
【００１８】
液晶テレビ１０の外観は主に、映像を表示する表示部である液晶パネル１１と、液晶パネル１１の前面側の縁を覆う額縁状のフロントキャビネット１２と、液晶テレビ１０の背面側を覆うリアキャビネット１３と、液晶テレビ１０を直立可能に支持するスタンド１４とから構成されている。フロントキャビネット１２及びリアキャビネット１３は樹脂製であり、互いにビス止めされている。スタンド１４は、金属製の支持手段が樹脂製のカバーで覆われて構成されている。
【００１９】
また、液晶テレビ１０の背面側には複数のジャックが設けられている。ジャックの種類としては、例えば、コンポジット端子やＳ端子やコンポーネント端子やＤ端子やＨＤＭＩ端子やＰＣ入力端子やＵＳＢ端子やアンテナ端子などを接続するジャックが挙げられる。本液晶テレビ１０では、これらのジャックは２箇所に分けて設けられており、それぞれ第１のジャック群１５、第２のジャック群１６と呼ぶことにする。
【００２０】
第１のジャック群１５においては、リアキャビネット１３に設けられた貫通穴からそれぞれのジャックが背面方向へ突出しており、液晶テレビ１０の背面方向からプラグを挿すようになっている。
【００２１】
一方、第２のジャック群１６は、樹脂製の筐体であるジャックボックス１７に収容されており、ジャックボックス１７がリアキャビネット１３に着脱可能に取り付けられている。そして、第２のジャック群１６においては、ジャックボックス１７に設けられた貫通穴からそれぞれのジャックが側面方向へ突出しており、液晶テレビ１０の側方からプラグを挿すようになっている。ここで側方とは、液晶テレビの上下左右方向を含む３６０°のどの方向であってもよい。
【００２２】
第２のジャック群１６の各ジャックはジャックボックス１７内に収容された基板（不図示）に取り付けられている。また、ジャックボックス１７にはジャックに繋がる配線をまとめたコネクタ（詳細は後述する）が設けられている。一方、リアキャビネット１３の第１のジャック群１５の近辺にも同種のコネクタ１８が設けられており、両コネクタは、両端にコネクタを有したフラットケーブル１９によって接続されている。したがって、フラットケーブル１９は着脱可能である。この構成により、第２のジャック群１６の各ジャックと液晶テレビ１０とが接続される。
【００２３】
次に、ジャックボックス１７をリアキャビネット１３に着脱可能とする構成について説明する。図３はジャックボックス１７の六面図であり、（ａ）が上面図、（ｂ）が正面図、（ｃ）が底面図、（ｄ）が背面図、（ｅ）が左側面図、（ｆ）が右側面図である。図４はジャックボックス１７を取り外した状態の液晶テレビ１０の背面斜視図である。なお、図４ではフラットケーブル１９は省略してある。
【００２４】
図３に示すように、ジャックボックス１７は、一部の角が切り取られた略直方体であり、該直方体の最も短い辺が液晶テレビ１０の奥行き方向になるようにリアキャビネット１３に取り付けられる。これにより、ジャックボックス１７によって液晶テレビ１０の奥行きが長くなるのを最小限に抑えることができる。
【００２５】
また、ジャックボックス１７の右側面に第２のジャック群１６が配設され、底面にフラットケーブル１９を接続するためのコネクタ２０が配設されている。このように、ジャックボックス１７の奥行き方向となる面（右側面、左側面、底面、上面）に第２のジャック群１６及びコネクタ２０を配設することにより、配線がジャックボックス１７より後ろ側に飛び出ることがなく、液晶テレビの設置時の奥行きを短くすることができる。また、液晶テレビが設置された状態で後ろの壁との隙間がほとんどなくても、液晶テレビの背面の側方から配線を接続することができ便利である。
【００２６】
また図３（ｄ）に示すように、ジャックボックス１７のリアキャビネット１３側の面には、４つの穴２１a〜２１ｄが形成されている。一方、図４に示すように、リアキャビネット１３の中央付近には穴２１a〜２１ｄに対向する位置にフック２２ａ〜２２ｄが形成されている。そして、フック２２ａ〜２２ｄに穴２１a〜２１ｄが係合することによって、ジャックボックス１７がリアキャビネット１３に取り付けられる。ジャックボックス１７はフック２２ａ〜２２ｄで支持されるだけなので容易に着脱可能である。
【００２７】
具体的に、フック２２ａ〜２２ｄはリアキャビネット１３上で正方形の各頂点にそれぞれ配設されており、穴２１ａ〜２１ｄもフック２２ａ〜２２ｄに対向する位置に配設されている。フック２２ａ〜２２ｄは、リアキャビネット１３から後方へ突出した長方形の平板が上方へＬ字型に折れ曲がった形状であり、リアキャビネット１３と一体成形される。フック２２ａ〜２２ｄの奥行き方向の長さは、ジャックボックス１７を形成する樹脂の厚み以上であればよい。フック２２ａ〜２２ｄの上方へ折れ曲がっている部分の大きさは、穴２１ａ〜２１ｄよりも小さくすることで穴２１ａ〜２１ｄへの係合が可能となる。
【００２８】
これにより、フック２２ａ〜２２ｄの上方へ折れ曲がっている部分が、穴２１ａ〜２１ｄの中に入り込んでジャックボックス１７の内面を支持し、ジャックボックス１７が抜け落ちることを防止する。
【００２９】
穴２１ａ〜２１ｄは、それぞれ同じ大きさの正方形であり、各辺はジャックボックス１７のリアキャビネット１３側の面の各辺と平行になっている。これにより、穴２１ａ〜２１ｄのどの辺を上にしてフック２２ａ〜２２ｄに係合させるかによって、ジャックボックス１７の取り付け向きを変えることができる。
【００３０】
図５は第２のジャック群１６が上向きになるようにジャックボックス１７を取り付けた液晶テレビ１０の背面斜視図であり、図６は図５のジャックボックス１７を取り外した状態の液晶テレビ１０の背面斜視図である。なお、図４ではフラットケーブル１９は省略してある。
【００３１】
穴２１ａをフック２２ｄ、穴２１ｂをフック２２ａ、穴２１ｃをフック２２ｂ、穴２１ｄをフック２２ｃに係合させることにより、第２のジャック群１６が上向きになるようにジャックボックス１７がリアキャビネット１３に取り付けられる。他にも、穴２１ａをフック２２ｃ、穴２１ｂをフック２２ｄ、穴２１ｃをフック２２ａ、穴２１ｄをフック２２ｂに係合させれば、第２のジャック群１６が図２とは反対側の側方向きになる。また、穴２１ａをフック２２ｂ、穴２１ｂをフック２２ｃ、穴２１ｃをフック２２ｄ、穴２１ｄをフック２２ａに係合させれば、第２のジャック群１６が下向きになる。
【００３２】
このように、ジャックボックス１７の取り付け向きを９０°毎に変えることができるので、液晶テレビ１０の設置場所に応じて配線の取り回しが良い向きにジャックボックス１７を取り付けることができる。
【００３３】
図７は図５の状態の液晶テレビ１０の左側面図であり、図８は比較例である従来の液晶テレビの左側面図である。なお、図７ではフラットケーブル１９は省略してある。図７において、リアキャビネット１３の背面位置を一点鎖線で示し、図８でも同じ位置に一点鎖線を描いている。
【００３４】
図７と図８の一点鎖線の位置からわかるように、図７において液晶テレビ１０からジャックボックス１７を取り外せば、図８に示した液晶テレビよりも奥行きが短くなる。これは、図７の液晶テレビ１０のリアキャビネット１３が図８の液晶テレビのリアキャビネットよりも奥行きが短いためである。図８の液晶テレビのリアキャビネットには本発明のジャックボックス１７に収容されているジャック群１６が収容されているので、その分の奥行きが必要となる。
【００３５】
このような本発明の液晶テレビ１０と比較例の液晶テレビをそれぞれ梱包する場合、梱包サイズをなるべく小さくするために、本発明の液晶テレビ１０ではジャックボックス１７とスタンド１４とが取り外され、比較例の液晶テレビではスタンドが取り外されて梱包される。このとき、ジャックボックス１７やスタンド１４はその他の付属品とともに梱包箱内の隙間に収納されるので、梱包サイズにはほとんど影響しない。したがって、梱包サイズは液晶テレビ本体の大きさによって決まる。
【００３６】
ここで、図７と図８で比較したように、本発明の液晶テレビ１０本体は比較例の液晶テレビ本体よりも奥行きが短いので、梱包した際にも梱包箱の奥行きが短くて済み、梱包サイズが小さくなる。その結果、輸送効率が向上する。
【００３７】
次に、液晶テレビ１０を壁に掛けて使用する場合のジャックボックス１７の取り扱いについて説明する。液晶テレビ１０を壁に掛ける際は、スタンド１４とジャックボックス１７とが取り外され、液晶テレビ本体のみが壁に取り付けられる。液晶テレビ本体を壁に取り付けるためには、まず、リアキャビネット１３側と壁側に一対の壁掛け具（不図示）をそれぞれビス止めする。そして、壁掛け具を係合させることにより液晶テレビ本体を壁に固定する。
【００３８】
そして、ジャックボックス１７はスタンド１４に着脱可能に取り付けて使用される。このために、図３（ｃ）に示すように、ジャックボックス１７の底面には、内部へ貫通するＬ字型の２つの開口部２３ａ、２３ｂが形成されている。また、図３（ｄ）に示すように、ジャックボックス１７の背面にはそれぞれの開口部２３ａ、２３ｂの上方にビス穴２４ａ、２４ｂが形成されている。
【００３９】
図９は、ジャックボックス１７とスタンド１４の取り外した状態の斜視図である。スタンド１４は、金属製の支持手段３０の下部が樹脂製のカバー３１で覆われて構成されている。支持手段３０の上部は、液晶テレビ本体やジャックボックス１７へ挿入される２本の支持基体３０ａ、３０ｂからなり、カバー３１から上方へ突出している。支持基体３０ａ、３０ｂは、剛性を確保するため水平断面がＬ字型となっており、正面から背面へ貫通するビス穴３０ｃ〜３０ｆを有している。そして、スタンド１４が液晶テレビ本体に取り付けられる際には、支持基体３０ａ、３０ｂが液晶テレビ本体の底面の開口部（不図示）に挿入され、この４つのビス穴３０ｃ〜３０ｆを用いてリアキャビネット１３側からビス止めされる。
【００４０】
一方、スタンド１４がジャックボックス１７に取り付けられる際には、支持基体３０ａ、３０ｂがジャックボックス１７の底面の開口部２３ａ、２３ｂに挿入され、ジャックボックス１７の２つのビス穴２４ａ、２４ｂと重なる２つのビス穴３０ｄ、３０ｆを用いてビス止めされる。液晶テレビ本体との取り付けに使用する支持手段３０をジャックボックス１７の取り付けに兼用することで部品点数を増やす必要がない。
【００４１】
図１０にジャックボックス１７をスタンド１４に取り付けた状態の斜視図、図１１に図１０の正面図、図１２に図１１のＡ−Ａ線断面図を示す。
【００４２】
図１２に示すように、開口部２３ａ、２３ｂに挿入された支持基体３０ａ、３０ｂは、ビス穴２４ａ、２４ｂと垂直に交差している。そして、ビス穴２４ｂはビス穴３０ｆと重なり、ジャックボックス１７の背面側からビス穴２４ｂにビス２５が挿入され、ビス２５はビス穴３０ｆを貫通してその先の細くなったビス穴２４ｂに螺合している。同様に、ビス穴２４ａもビス止めされている。
【００４３】
このように、ジャックボックス１７の高さが２番目に高くなる向きでスタンド１４に取り付けられる。このとき上記のようにジャックボックス１７をスタンド１４にビス止めすることで、ふらつきを防止することができる。なお、ビス穴３０ｃ、３０ｅに対向するジャックボックス１７の背面側にビス穴を設けることでビス止め位置を増やしてもよい。それによってジャックボックス１７はより安定して固定される。
【００４４】
また、フラットケーブル１９はジャックボックス１７をリアキャビネット１３に取り付けた際に用いたものよりも長いものを用いることが、ジャックボックス１７を好みの場所に設置できる点で好ましい。
【００４５】
次に、ジャックボックス１７とスタンド１４の他の取り付け例について説明する。図３（ｄ）に示すように、ジャックボックス１７の背面には、内部へ貫通するＬ字型の２つの開口部２６ａ、２６ｂが形成されている。
【００４６】
図１３は、ジャックボックス１７とスタンド１４’の取り外した状態の斜視図である。スタンド１４’は、スタンド１４よりも小さいがその構造はほぼ同じである。スタンド１４’は、金属製の支持手段３０’の下部が樹脂製のカバー３１’で覆われて構成されている。支持手段３０’の上部は、液晶テレビ本体やジャックボックス１７へ挿入される２本の支持基体３０ａ’、３０ｂ’からなり、カバー３１’から上方へ突出している。支持基体３０ａ’、３０ｂ’は、剛性を確保するため水平断面がＬ字型となっており、正面から背面へ貫通するビス穴３０ｃ’〜３０ｆ’を有している。
【００４７】
そして、スタンド１４’が液晶テレビ本体に取り付けられる際には、支持基体３０ａ’、３０ｂ’が液晶テレビ本体の底面の開口部（不図示）に挿入され、この４つのビス穴３０ｃ’〜３０ｆ’を用いてリアキャビネット１３側からビス止めされる。一方、スタンド１４’がジャックボックス１７に取り付けられる際には、支持基体３０ａ’、３０ｂ’がジャックボックス１７の背面の開口部２６ａ、２６ｂに挿入される。
【００４８】
図１４にジャックボックス１７をスタンド１４’に取り付けた状態の斜視図、図１５に図１４の正面図、図１６に図１５のＢ−Ｂ線断面図を示す。
【００４９】
図１２に示すように、開口部２６ａから内部へ垂直に壁部２７ａ、２７ｂが設けられている。壁部２７ａ、２７ｂの互いに向かい合った面には、対向する略半球状の２対の突起２７ｃ〜２７ｆが形成されている。それぞれ対向する突起２７ｃと突起２７ｄ、突起２７ｅと突起２７ｆの間隔は、支持基体３０ｂ’の厚みよりも短い。
【００５０】
そして、開口部２６ａに支持基体３０ａ’が挿入されると壁部２７ａ、２７ｂが撓むので支持基体３０ａ’が奥まで挿入される。このとき突起２７ｃ、２７ｄによってビス穴３０ｆ’が挟入され、突起２７ｅ、２７ｆによってビス穴３０ｅ’が挟入される。同様に、開口部２６ｂの内部でも突起によってビス穴３０ｃ’、３０ｄ’が挟入されることによって、ジャックボックス１７が支持基体３０’に支持される。
【００５１】
このように、ジャックボックス１７の高さが最も低くなる向きでスタンド１４’に取り付けられる。ジャックボックス１７を取り付けた際の高さが低いので、ビス止めのような強固な固定手段を用いなくても突起で穴を挟入するだけで十分にジャックボックス１７を安定に支持することができる。また、ジャックボックス１７とスタンド１４’とは抜き差しするだけで容易に着脱することができる。
【００５２】
またこのように、ジャックボックス１７を液晶テレビ本体から取り外して使用することにより、液晶テレビ本体のみを壁に掛けられるので、奥行きの短い状態で壁掛けを実現することができる。また、ジャックボックス１７をスタンド１４、１４’に取り付けて使用することにより、液晶テレビ本体の壁掛け時にスタンド１４、１４’を有効活用することができるとともに、ジャックボックス１７とスタンド１４、１４’との一体感によって美観が生じるのでインテリアにもなる。したがって、スタンド１４、１４’の収納場所に困らず、ジャックボックス１７を隠す必要もない。
【００５３】
なお、上記実施形態ではジャックボックス１７の底面にコネクタ２０を設けたが、ジャックボックス１７側のコネクタは２箇所以上に設置してもよい。例えば、ジャックボックス１７の底面に第１のコネクタと、第２のジャック群１６が設けられている面に第２のコネクタと設置した場合、図２のようにジャックボックス１７を取り付けたときに第２のコネクタを用いることによってフラットケーブル１９の取り回しが良くなる。したがって、フラットケーブル１９を短くすることができる。また、図１０においては、スタンド１４との隙間にある第１のコネクタを用いずに第２のコネクタを用いることで接続作業がし易い。
【００５４】
また、上記実施形態ではフラットケーブル１９を用いたが、このケーブルは信号を伝送できればその形状には特に限定はなく、丸ケーブルなどを用いてもよい。
【００５５】
また、上記実施形態ではコネクタ１８、２０を採用したが、一方は省略してフラットケーブル１９がジャックボックス１７側又はリアキャビネット１３側に着脱不可能に接続される構成としても構わない。
【００５６】
また、上記実施形態ではフックを４つ設けたが、少なくとも１つあればジャックボックス１７を取り付けることができる。但し、複数のフックを採用することでジャックボックスを安定して支持することができる。
【００５７】
また、上記実施形態では穴２１ａ〜２１ｄは正方形としたが、その形状には特に限定はなく、例えば六角形とすればジャックボックス１７を６０°毎に回転させた状態で取り付けることができる。但し、複数のフックを設ける場合は、リアキャビネット１３上で６０°の角度で配置する必要がある。
【００５８】
また、上記実施形態では穴２１ａ〜２１ｄとフック２２ａ〜２２ｄを係合させることによってジャックボックス１７をリアキャビネット１３に取り付けるようにしたが、この取り付け手段には特に限定はなく、例えばビス止めによって取り付けるようにしてもよい。この場合、リアキャビネット１３側のビス穴は壁掛け用のビス穴と兼用してもよい。
【００５９】
また、上記実施形態ではジャックボックス１７は略直方体としたが、その形状には特に限定はなく、六角柱などの多角柱形状や円柱形状としてもよい。
【００６０】
また、上記実施形態ではジャックボックス１７に突起を４対設けたが、少なくとも１対あればジャックボックス１７を固定することができる。但し、複数の突起対を採用することでジャックボックス１７を安定して固定することができる。
【００６１】
また、上記実施形態では対向する略半球状の対になった突起を用いたが、ビス穴３０ｃ’〜３０ｆ’に係合してジャックボックス１７を固定できる構造であれば特に限定はない。例えば、突起を一方の壁部に設けるだけでもよい。また、突起の形状は円錐や切頂円錐などでもよい。
【産業上の利用可能性】
【００６２】
本発明の表示装置は、テレビやパソコンのディスプレイなどに利用でき、液晶、プラズマ、ＣＲＴなど各種表示方式を採用することができる。
【図面の簡単な説明】
【００６３】
【図１】本発明の液晶テレビの前面斜視図である。
【図２】本発明の液晶テレビの背面斜視図である。
【図３】本発明のジャックボックスの六面図であり、（ａ）が上面図、（ｂ）が正面図、（ｃ）が底面図、（ｄ）が背面図、（ｅ）が左側面図、（ｆ）が右側面図である。
【図４】本発明のジャックボックスを取り外した状態の液晶テレビの背面斜視図である。
【図５】本発明の第２のジャック群が上向きになるようにジャックボックスを取り付けた液晶テレビの背面斜視図である。
【図６】図５のジャックボックスを取り外した状態の液晶テレビの背面斜視図である。
【図７】図５の状態の液晶テレビの左側面図である。
【図８】比較例である従来の液晶テレビの左側面図である。
【図９】本発明のジャックボックスとスタンドの取り外した状態の斜視図である。
【図１０】本発明のジャックボックスをスタンドに取り付けた状態の斜視図である。
【図１１】図１０の正面図である。
【図１２】図１１のＡ−Ａ線断面図である。
【図１３】本発明のジャックボックスとスタンドの取り外した状態の斜視図である。
【図１４】本発明のジャックボックスをスタンドに取り付けた状態の斜視図である。
【図１５】図１４の正面図である。
【図１６】図１５のＢ−Ｂ線断面図である。
【符号の説明】
【００６４】
１０    液晶テレビ（表示装置）
１１    液晶パネル（表示部）
１３    リアキャビネット
１７    ジャックボックス
１８、２０    コネクタ
１９    フラットケーブル
２１ａ〜２１ｄ    穴
２２ａ〜２２ｄ    フック
３０    支持手段
２７ｃ〜２７ｆ    突起
３０ｃ’〜３０ｆ’    ビス穴（穴）
【図１】
2009071583.tif 000003
【図２】
2009071583.tif 000004
【図３】
2009071583.tif 000005
【図４】
2009071583.tif 000006
【図５】
2009071583.tif 000007
【図６】
2009071583.tif 000008
【図７】
2009071583.tif 000009
【図８】
2009071583.tif 000010
【図９】
2009071583.tif 000011
【図１０】
2009071583.tif 000012
【図１１】
2009071583.tif 000013
【図１２】
2009071583.tif 000014
【図１３】
2009071583.tif 000015
【図１４】
2009071583.tif 000016
【図１５】
2009071583.tif 000017
【図１６】
2009071583.tif 000018